【手続補正書】
【提出日】平成23年10月21日(2011.10.21)
【手続補正１】
【補正対象書類名】特許請求の範囲
【補正対象項目名】全文
【補正方法】変更
【補正の内容】
【特許請求の範囲】
【請求項１】
１つの機器へプログラム・コンテンツを転送するため装置で実行される方法であって：
機器を通信ネットワークに登録するメッセージであって当該機器に割り当てられて当該機器の安全保障の程度を示す指標を含む前記メッセージを前記装置で受け取り、
前記機器へのプログラム・コンテンツの転送要求を受け取り；
前記要求に応答して、前記装置は、前記プログラム・コンテンツを受け取るための前記機器の正当性を判定するために前記機器を認証し；
前記機器が認証された後、前記装置から前記機器へ前記プログラム・コンテンツと前記プログラム・コンテンツに関連する１つ以上の規則とを転送することを含み、前記１つ以上の規則の少なくとも１つは前記指標に関係し且つ前記プログラム・コンテンツの使用に関して前記機器で適用可能である、前記方法。
【請求項２】
請求項１記載の方法において、前記機器は当該機器により与えられるデジタル証明書内のデータを確認して認証される前記方法。
【請求項３】
請求項１記載の方法が更に、前記プログラム・コンテンツが前記機器に転送される前に、前記指標で示される前記機器の安全保障の程度が、１つ以上の規則の或る１つに適合するか否かを判定する、前記方法。
【請求項４】
請求項３記載の方法において、前記指標で示される前記機器の安全保障の程度が、１つ以上の規則の或る１つに適合することが判定された後に、前記プログラム・コンテンツが転送される、前記方法。
【請求項５】
請求項１記載の方法において、１つ以上の規則の１つが前記機器が前記プログラム・コンテンツを他の機器へ転送できる回数に関する、前記方法。
【請求項６】
請求項１記載の方法において、１つ以上の規則の１つが前記機器が前記プログラム・コンテンツを再生できる期間に関する、前記方法。
【請求項７】
請求項１記載の方法において、１つ以上の規則の１つが前記機器がプログラム・コンテンツを別の機器へ転送する権利を、当該他の機器の安全保証の程度の関数として規定する、前記方法。
【請求項８】
請求項１記載の方法において、前記プログラム・コンテンツが映画コンテンツを含む、前記方法。
【請求項９】
機器の間でプログラム・コンテンツを転送するための方法であって：
第１保護層内の機器がプログラム・コンテンツを第１処理プロセスに準拠する他の機器へ相互に転送する、当該第１保護層を定義し；
第１保護層内の第１機器が第２処理プロセスに準拠する第２保護層内の第２機器に選択されたプログラム・コンテンツを転送する、当該第２保護層を定義する；ことを含み、此処で前記第２処理プロセスが：
第２機器を認証して、前記第２機器が前記選択されたプログラム・コンテンツを受け取る正当性を有するか否かを判定し、前記第２機器にはその安全保障の程度を示す指標が割り当てられており；
前記第２機器が認証された後、第２機器に選択されたプログラム・コンテンツとその選択されたプログラム・コンテンツに関連する規則とを転送し、前記規則の少なくとも１つは前記指標に関連し且つ選択されたプログラム・コンテンツの使用に関して前記第２機器で適用可能である；ことを含む、前記方法。
【請求項１０】
請求項９記載の方法において、前記第１機器が選択されたプログラム・コンテンツをケーブル・ネットワークから受信するためのセットトップ端末を含む、前記方法。
【請求項１１】
請求項９記載の方法において、前記第２機器が前記第２機器から提供されるデジタル証明書内のデータを確認することで認証される、前記方法。
【請求項１２】
請求項９記載の方法が更に、前記選択されたプログラム・コンテンツが前記機器に転送される前に、指標で示される前記第２機器の安全保障程度が前記規則の或る１つに適合するか否か判定し、指標で示される前記第２機器の安全保障程度が前記或る１つに適合することを判定した後に、前記選択されたプログラム・コンテンツを転送することを含む、前記方法。
【請求項１３】
暗号化され、機器内の記憶装置に格納されているプログラム・コンテンツを有する前記機器に接続可能な装置内で使用するための方法であって：
前記機器から前記プログラム・コンテンツへの接続要求を受け取り、該要求は前記記憶装置内の暗号化されたプログラム・コンテンツに関連して格納されたデータ・パッケージを含み；
前記要求に応答して、前記機器が前記プログラム・コンテンツへのアクセスを許されているかを、前記データ・パッケージ内の情報に基づいて判定し；
前記機器に、少なくとも前記記憶装置内の暗号化されたプログラム・コンテンツを復号化するための暗号法要素に関するデータを提供し、これにより前記機器に前記プログラム・コンテンツへのアクセスを提供する；ことを含み、
前記暗号法要素は前記機器の使用者として登録されている加入者と特別に関連する、前記方法。
【請求項１４】
請求項１３記載の方法において、前記情報が、前記プログラム・コンテンツへアクセスする権利、前記プログラム・コンテンツを再生する権利を含む権利、前記プログラム・コンテンツを記録する権利、の少なくとも１つに関連する、前記方法。
【請求項１５】
請求項１４記載の方法において、前記暗号法要素が１つの暗号化鍵を含む、前記方法。
【請求項１６】
請求項１５記載の方法において、前記データが前記暗号化鍵の暗号化された版を表す、前記方法。
【請求項１７】
機器の間でプログラム・コンテンツを転送するためのシステムであって：
選択されたプログラム・コンテンツを第１処理プロセスに準拠する第２の機器へ転送するための第１保護層内の第１の機器からなり、
前記第１および第２の機器は単一のユーザに登録され、前記第１の機器は前記第１処理プロセスを実行するようプログラムされているプロセッサを含み、当該第１処理プロセスは、
前記第２機器が前記選択されたプログラム・コンテンツを受け取る当該第２機器の正当性を有するか否かを判定し、前記第２機器にはその安全保障の程度を示す指標が割り当てられており；
前記第２機器が認証された後、第２機器に選択されたプログラム・コンテンツとその選択されたプログラム・コンテンツに関連する１つ以上の規則とを転送し、当該１つ以上の規則の少なくとも１つは前記指標に関連し且つ選択されたプログラム・コンテンツの使用に関して前記第２機器で適用可能であり；
前記第１および第２の機器の各々は前記単一のユーザに特有の復号化鍵の利用を介して前記選択されたプログラム・コンテンツを復号するように適合されている、前記システム。
【請求項１８】
請求項１７記載のシステムにおいて、前記第１機器が選択されたプログラム・コンテンツを広帯域通信ネットワークから受信するためのセットトップ端末を含む、前記システム。
【請求項１９】
請求項１８記載のシステムにおいて、前記広帯域通信ネットワークがケーブル・ネットワークを含み、前記１つ以上の規則がケーブル・ネットワークの運用者により制定される、前記システム。
【請求項２０】
請求項１７記載のシステムにおいて、前記第２機器が前記第２機器によって提供されるデジタル証明書内のデータを確認することで認証される、前記システム。
【請求項２１】
請求項１７記載のシステムにおいて、前記選択されたプログラム・コンテンツが機器に転送される前に、指標で示される前記第２機器の安全保障の程度が前記規則の或る１つに適合するか否か判定される、前記システム。
【請求項２２】
請求項１７記載のシステムにおいて、前記１つ以上の規則の１つが、前記第２機器が前記選択されたプログラム・コンテンツを他の機器へ転送できる回数に関する、前記システム。
【請求項２３】
請求項１７記載のシステムにおいて、前記１つ以上の規則の１つが、前記第２機器が前記選択されたプログラム・コンテンツを再生できる期間に関する、前記システム。
【請求項２４】
請求項１７記載のシステムにおいて、前記１つ以上の規則の１つが、前記第２機器が前記選択されたプログラム・コンテンツを別の機器へ転送する権利を、前記他の機器の安全保障の程度の関数として規定する、前記システム。
【請求項２５】
暗号化され、機器内の記憶装置に格納されているプログラム・コンテンツを有する前記機器に接続可能な装置であって：
前記機器から前記プログラム・コンテンツへのアクセスするための要求を受け取り、該要求は前記記憶装置内の暗号化されたプログラム・コンテンツに関連して格納されたデータ・パッケージを含む、インタフェースと；
前記要求に応答して、前記機器が前記プログラム・コンテンツへのアクセスを許されているかを、前記データ・パッケージ内の情報に基づいて判定するように構成されたプロセッサと；
前記機器に、少なくとも前記記憶装置内の暗号化されたプログラム・コンテンツを復号化するための暗号法要素に関するデータを提供し、これにより前記機器に前記プログラム・コンテンツへのアクセスを提供するための機構と；を含み、
前記暗号法要素は単一のユーザに登録された２以上の受信機器に関連している、前記装置。
【請求項２６】
請求項２５記載の装置において、前記情報が前記プログラム・コンテンツへアクセスする権利に関する、前記装置。
【請求項２７】
請求項２６記載の装置において、前記権利が前記プログラム・コンテンツを再生する権利を含む、前記装置。
【請求項２８】
請求項２６記載の装置において、前記権利が前記プログラム・コンテンツを記録する権利を含む、前記装置。
【請求項２９】
請求項２５記載の装置において、前記データ・パッケージが前記暗号化鍵の暗号化された版を表すデータを含む、前記装置。
【請求項３０】
請求項２５記載の装置において、プログラム・コンテンツを含む複数のデータ・ストリームを同時に取り扱えるように構成されているＣａｂｌｅＣＡＲＤを含む、前記装置。
【請求項３１】
暗号化され、機器内の記憶装置に格納されているプログラム・コンテンツを有する前記機器に接続可能な装置であって：
前記機器から前記プログラム・コンテンツへアクセスするための要求を受け取り、該要求は前記記憶装置内の暗号化されたプログラム・コンテンツに関連して格納されたデータ・パッケージを含む、インタフェースと；
前記機器に、少なくとも前記記憶装置内の暗号化されたプログラム・コンテンツを復号化するための暗号化鍵を含む暗号法要素に関するデータを提供し、これにより前記機器に前記プログラム・コンテンツへのアクセスを提供するための機構と；
前記要求に応答して、前記機器が前記プログラム・コンテンツへのアクセスを許されているかを、前記データ・パッケージ内の情報に基づいて判定するように構成され、当該データ・パッケージが暗号化鍵の暗号化された版を表すデータを含む、プロセッサと；を含み、
前記暗号法要素は単一のユーザに登録された２以上の受信機器に関連し、そして
前記装置がプログラム・コンテンツを含む複数のデータ・ストリームを同時に取り扱えるように構成されている装置を含む、装置。
【請求項３２】
請求項３１記載の装置において、前記データ・パッケージは前記プログラム・コンテンツにアクセスする権利に関する情報を含む、前記装置。
【請求項３３】
請求項３２記載の装置において、前記権利は前記機器が前記プログラム・コンテンツを再生できる期間を含む、前記装置。
【請求項３４】
請求項３２記載の装置において、前記権利は前記他の機器の安全保障の程度の関数として前記プログラム・コンテンツを別の機器へ転送する前記第２の機器の権利を含む、装置。